(57)【要約】【課題】無線受信機を便利に収納可能なポインティング装置を提供すること。【解決手段】本考案は一種の無線ポインティング装置に関わるものである。該装置は第１、第２本体の組合せにより構成する。そのうち、第１本体は一定の場所に取付空間を設け、電気制御回路および無線受信機などは、この取付空間に収容する。該第１、第２本体の両側は、互いに噛み合わせる滑りレールと滑り溝を設ける。該第１、第２本体はさらに弾性部材に合せて、制限部材を設ける。これにより、該第１、第２本体は滑りレールと滑り溝との組合せによる摺動で、重なって閉合状態、または互いに交差して、開放状態となる。さらに、弾性部材と制限部材の働きにより、第１、第２本体は開放状態のとき、弾性部材の引きずりにより、収容空間のみを露出し、第１、第２本体を互いにずれない。利用者の使用または収納に利便性を与える。【選択図】図１Ａ
0003124918.tif 000002
【実用新案登録請求の範囲】
【請求項１】
第１本体、第２本体と弾性部材とを具備し、
前記第１本体に電気制御回路および無線受信機を取り付ける取付空間を設け、
前記第１本体に滑り溝または滑りレールを設け、
前記第２本体に前記第１本体と噛み合わせるように滑りレールまたは滑り溝を設けて該第２本体は前記滑りレールと滑り溝と組合せて、前記第１本体と噛み合って摺動し、
前記弾性部材は、一端は前記第１本体に固定し、他端は前記第２本体に固定し、両端はすれ違う状態を呈するように前記第１、第２本体の間に掛け、
前記第１、第２本体は前記滑りレールと滑り溝との組合せにより、重なって閉合状態となり、前記弾性部材の制限によって第１、第２本体は開放状態のとき、完全にずれずに部品を取り付ける取付空間のみを露出し、弾性部材の弾性により、閉合状態に戻すことができることを特徴とする、
無線ポインティング装置。
【請求項２】
無線マウス装置を設けることを特徴とする、請求項１に記載の無線ポインティング装置。
【請求項３】
弾性部材はバネを用いることを特徴とする、請求項１に記載の無線ポインティング装置。
【請求項４】
第１本体の縁に制限部材を設け、第１、第２本体が重なったとき、制限部材と第２本体の滑りレールまたは滑り溝の縁の保持により、摺動しないことを特徴とする、請求項１に記載の無線ポインティング装置。
【請求項５】
第１本体にフレームを設け、該フレームは電気制御回路の表面に寄り掛かり、該フレームは取付空間に延ばして弾性の圧下締結具を設け、該圧下締結具により、無線受信機を固定することを特徴とする、請求項１記載の無線ポインティング装置。
【請求項６】
該フレームに凹み溝を設けることを特徴とする、請求項５に記載の無線ポインティング装置。
【請求項７】
第２本体は第１本体との向かい面に制限部材を設け、該第１、第２本体を開放するとき、制限部材と凹み溝の保持制限により、引き続きに摺動しないことを特徴とする、請求項６に記載の無線ポインティング装置。
【請求項８】
制限部材は邪魔板と突起体を設けることを特徴とする、請求項４および請求項７の何れかに記載の無線ポインティング装置。
【請求項９】
第１、第２本体に電気コネクタをそれぞれ設けることにより、該第１、第２本体は重なって閉合状態のとき、電気コネクタを介して、該第１、第２本体に備える電気回路を電気接続することを特徴とする、請求項１に記載の無線ポインティング装置。
【請求項１０】
第１、第２本体に電気コネクタをそれぞれ設け、該電気コネクタ同士は電気回路によって接続し、第１、第２本体に備える電気回路を電気接続することを特徴とする、請求項１に記載の無線ポインティング装置。
【考案の詳細な説明】
【技術分野】
【０００１】
本考案は一種の無線ポインティング装置、一種の互いに摺動方式により、結合する第１、第２本体を重ねて閉合状態に変わる。さらに、弾性部材と制限部材の働きにより、第１、第２本体は開放状態において、完全に開放することなく、部品の取付空間のみを露出するほか、弾性部材の働きにより、閉合状態に戻す構造に関わるものである。
【背景技術】
【０００２】
マウス装置を使用することは、コンピュータ周辺装置に欠かせない部品の一つと同じく、コンピュータプレゼンテーションにおいて、直接にコンピュータ操作できるポインティング装置も利用者にとって、極めて重要道具の一つである。以前のマウス装置は伝送線を介してコンピュータに接続することにより、コンピュータの制御のもとに作動する。これは有線式マウス装置と称する。
【考案の開示】
【考案が解決しようとする課題】
【０００３】
しかしながら、この種のマウス装置は伝送線があるため、利用者は自分の習慣に従い、マウス装置を作業しやすい場所に置くことができない。使用の面は理想とは言えない。一方、プレゼンテーション用のポインティング装置は光点をコンピュータ・画面に写すことができる。画面の表示データを変更するときは、マウス装置を操作するしかない。
【０００４】
前記の欠点を改善した一種の無線ポインティング装置が開発されている。主に無線受信機を設け、該無線受信機は伝送線(USBなど)によって、コンピュータに接続し、コンピュータの制御信号を無線受信機に伝送する。該無線受信機はさらに、無線ポインティング装置と組み合わせる。該無線ポインティング装置に発信器を設け、該発信器は無線ポインティング装置の作動信号は無線受信機を介してコンピュータに送信し、コンピュータと交信する。なお、該無線ポインティング装置に出射を設けて、コンピュータ画面のデータ指示を行う。該無線ポインティング装置の発信器作動電源として、１個または２個の電池を取り付ける。この構造は、前記の有線式マウス装置またはポインティング装置の課題を解消しているが、該無線受信機は独立した電子部品のため、マウス装置またはポインティング装置と結合できない。よって、収納に不便を生じる。一部の無線マウス装置またはポインティング装置は、その底部に引き込んで取付空間と締結具を設けて、該受信機をその取付空間に収納する。しかしながら、この種の構造は無線マウス装置またはポインティング装置の脱落や出っ張るなどの課題を残る。使用上は理想とは言えない。
【課題を解決するための手段】
【０００５】
このため、本考案人は長い時間を費やし、研究と実験を重ねた結果、本考案の無線ポインティング装置を考案した。
【０００６】
第１、第２本体より組合せて構成し、第１本体は一定の場所に取付空間を設け、電気制御回路および無線受信機などは、この取付空間に収容する。該第１、第２本体の両側は、互いに噛み合わせる滑りレールと滑り溝を設ける。該第１、第２本体はさらに弾性部材を設け、該弾性部材の一端は第１本体、他端は第２本体にそれぞれ固定する。これにより、該第１、第２本体は滑りレールと滑り溝との組合せによる摺動で結合し重なって閉合状態となる。さらに、弾性部材と制限部材の働きにより、第１、第２本体は開放状態のとき、弾性部材の弾性により、閉合状態に戻し、収納が便利のほか、露出することなく、完全に収納できる、一種の無線ポインティング装置の提供を本考案の主な目的とする。
【０００７】
第１、第２本体の向かい面に互いに組み合わせた制限部材を設け、第１、第２本体を重なったとき、制限部材の制限により移動できない、一種の無線ポインティング装置の提供を本考案のさらなる目的とする。
【０００８】
第１、第２本体に電気コネクタをそれぞれ設けることにより、該第１、第２本体は重なって閉合状態のとき、電気コネクタを介して、該第１、第２本体に備える電気回路を電気接続することができる。一方、開放状態のとき、電気接続を切断する、一種の無線ポインティング装置の提供を本考案のもう一つの目的とする。
【０００９】
第１、第２本体に電気コネクタをそれぞれ設け、該電気コネクタ同士は、電気回路によって接続し、第１、第２本体が重なって閉合状態、または開放状態のときも電気接続可能、一種の無線ポインティング装置の提供を本考案のさらなる一つの目的とする。
【００１０】
すなわち、本願の第１考案は、第１本体、第２本体と弾性部材とを具備し、前記第１本体に電気制御回路および無線受信機を取り付ける取付空間を設け、前記第１本体に滑り溝または滑りレールを設け、前記第２本体に前記第１本体と噛み合わせるように滑りレールまたは滑り溝を設けて該第２本体は前記滑りレールと滑り溝と組合せて、前記第１本体と噛み合って摺動し、前記弾性部材は、一端は前記第１本体に固定し、他端は前記第２本体に固定し、両端はすれ違う状態を呈するように前記第１、第２本体の間に掛け、前記第１、第２本体は前記滑りレールと滑り溝との組合せにより、重なって閉合状態となり、前記弾性部材の制限によって第１、第２本体は開放状態のとき、完全にずれずに部品を取り付ける取付空間のみを露出し、弾性部材の弾性により、閉合状態に戻すことができることを特徴とする、一種の無線ポインティング装置を要旨としている。
【００１１】
また、本願の第2考案は、無線マウス装置を設けることを特徴とする、本願の第１考案に記載の無線ポインティング装置を要旨としている。
【００１２】
また、本願の第３考案は、弾性部材はバネを用いることを特徴とする、本願の第１考案に記載の無線ポインティング装置を要旨としている。
【００１３】
また、本願の第４考案は、第１本体の縁に制限部材を設け、第１、第２本体が重なったとき、制限部材と第２本体の滑りレールまたは滑り溝の縁の保持により、摺動しないことを特徴とする、本願の第１考案に記載の無線ポインティング装置を要旨としている。
【００１４】
また、本願の第５考案は、第１本体にフレームを設け、該フレームは電気制御回路の表面に寄り掛かり、該フレームは取付空間に延ばして弾性の圧下締結具を設け、該圧下締結具により、無線受信機を固定することを特徴とする、本願の第１考案に記載の無線ポインティング装置を要旨としている。
【００１５】
また、本願の第６考案は、該フレームに凹み溝を設けることを特徴とする本願の第５考案に記載の無線ポインティング装置を要旨としている。
【００１６】
また、本願の第７考案は、第２本体は第１本体との向かい面に制限部材を設け、該第１、第２本体を開放するとき、制限部材と凹み溝の保持制限により、引き続きに摺動しないことを特徴とする、本願の第６考案に記載の無線ポインティング装置を要旨としている。
【００１７】
また、本願の第８考案は、制限部材は邪魔板と突起体を設けることを特徴とする、本願の第４考案および第７考案の何れかに記載の無線ポインティング装置を要旨としている。
【００１８】
また、本願の第９考案は、第１、第２本体に電気コネクタをそれぞれ設けることにより、該第１、第２本体は重なって閉合状態のとき、電気コネクタを介して、該第１、第２本体に備える電気回路を電気接続することを特徴とする、本願の第１考案に記載の無線ポインティング装置を要旨としている。
【００１９】
また、本願の第１０考案は、第１、第２本体に電気コネクタをそれぞれ設け、該電気コネクタ同士は電気回路によって接続し、第１、第２本体に備える電気回路を電気接続することを特徴とする、本願の第１考案に記載の無線ポインティング装置を要旨としている。
【考案の効果】
【００２０】
以上に説明した通り、本考案は物品の形状、構造とも新規性を有し、先行技術の各種欠点が改良され、使用効果を向上でき、実用性を有するほか、同じ分野の電子装置に応用できる。
【考案を実施するための最良の形態】
【００２１】
本考案の目的、形状、構造、装置、特徴及びその効果をさらに認識と理解を図るため、以下の通り実施例と図式を合わせて、その詳細を説明する。
【実施例】
【００２２】
図１Ａ、図２に示すものは、本考案による無線ポインティング装置である。本実施例において、無線マウス装置を使用する。この種の技術を熟知するものは、カーソル指示装置によって、取り代わることができる。主に、形状が互いに組み合わせた第１、第２本体１０、２０より構成する。そのうち、図２に示すとおり、作動電源として、第１本体１０に電池収容空間１１を設け、電池３０を取り付ける。該第１本体１０は収容空間１１の場所に引き込んで取付空間１２を設け、無線受信機などの電子部品を収納する。さらに、該第１本体１０は他の空間に電気制御回路４０を設ける。本実施例において、光学電気制御回路板を用いる。ただし、この種の技術に詳しい者は関連の電気回路をこの中に設けても良い。該光学電気制御回路４０にフレーム１６を設け、該フレーム１６は光学電気制御回路４０の表面に寄り掛かる。該フレーム１６はさらに、取付空間１２に延ばして弾性圧下締結具１６１と段付け１６２を設け、該圧下締結具１６１は、無線受信機などの電子部品を固定する。さらに、該フレーム１６に電気コネクタ１３を設け、該電気コネクタ１３は光学電気制御回路４０および電池３０に接続する。なお、該第１本体１０はフレーム１６の両側に互いに平行して滑り溝１４または滑りレール２１を設ける。該第１本体１０の縁に制限部材１５を設ける。本実施例において、突出する邪魔板を用いる。ただし、この種の技術に詳しい者は、他の素子で代替えすることができる。
【００２３】
図１Ａに示す通り、第２本体２０両側に第１本体１０の滑り溝１４または滑りレール２１と組み合わせる滑り溝１４または滑りレール２１を設けて、第１、第２本体１０、２０が互いに噛み合わせて摺動する。さらに、該第２本体２０は第１本体１０との向かい面に制限部材２２を設ける。本実施例において、突出体を設ける。ただし、この種の技術に詳しい者は、他の素子で代替えすることができる。該制限部材２２は第１本体１０の凹み溝１６２と組合せて、第１、第２本体１０、２０をすれ違う状態に制限および位置固定する。該第２本体２０は第１本体１０電気制御回路４０(図示していない)の場所に、合せて制御部材５０とローラー５１を設ける。そのうち、制御部材５０に電気コネクタ５２を設け、該電気コネクタ５２は制御素子５０と接続する。使用するときは、電気コネクタ１３、５２を互いに接触させるか、または該電気コネクタ１３、５２の間は電気回路７０によって接続（図１Ｂ）する。第１本体１０の電気制御回路４０と電源は、第２本体２０に備える制御素子５０と電気接続し(図４)、無線マウス装置を制御し作動する。なお、作動状況は、従来のマウス装置と同様、かつ、本考案の重点でないため、ここに省略する。
【００２４】
このほか、該第１、第２本体１０、２０の間に弾性部材６０を設け、本実施例においてバネを設ける。該弾性部材６０の一端は収容空間１１と滑り溝１４との間に掛けて、他端は第２本体２０の取付溝２３に掛けておく、該取付溝２３と弾性部材６０の第１本体１０に所在する場所はすれ違う状態とする。
【００２５】
使用するときは、図３、４、５、６及び図７に示すとおり、滑り溝１４と滑りレール２１と噛み合わせて、滑りレール２１の縁と制限部材１５が支えて固定する。第１、第２本体１０、２０を重なって閉合状態(図３)となり、閉合状態のとき、第１、第２本体１０、２０に備える電気コネクタ１３、５２同士が接触し、電源、電気制御回路４０と制御素子５０を電気接続する(図４)。利用者は第１本体１０に収納された部品(本実施例において、無線受信機)または電池３０の取付けや交換のとき、閉合状態の第２本体２０を前方に移動し、第２本体２０を滑りレール２１の延伸方向に移動させる。このとき、弾性部材６０は伸長から収縮状態に変わり、第２本体２０が滑りレール２１に沿って移動するとき、弾性部材６０は収縮から伸長状態に変わり、収納空間１１と取付空間１２を露出させ、第２本体２０と第１本体１０とすれ違う状態になり、利用者は部品の取付けや取り出し、または電池３０を交換できる。開放状態のとき、弾性部材６０と第２本体２０の制限部材２２とフレーム１６に備える凹み溝１６２の保持により、第２本体２０の滑走を止めて、第１、第２本体１０、２０は開放状態のとき、全部ずれることなく、取付空間１２(図５、６)のみを露出する。さらに、弾性部材６０の弾性により、閉合状態に戻す。第１、第２本体１０、２０は閉合状態に戻したとき、制限部材１５は、滑りレール２１(図示していない)縁の制限により固定され、第１、第２本体１０、２０を完全に重なることができる(図７)。
【図面の簡単な説明】
【００２６】
【図１Ａ】本考案の立体分解概略図である。
【図１Ｂ】本考案一実施例の立体分解概略図である。
【図２】本考案の第１本体の分解立体概略図である。
【図３】本考案を重なって閉合状態の立体概略図である。
【図４】本考案の閉合状態の断面概略図である。
【図５】本考案を互いにすれ違って、開放状態における部品を収納する立体概略図である。
【図６】本考案の開放状態における制限部材が作用するときの側視断面概略図と、その部分拡大概略図である。
【図７】本考案の重なり状態における制限部材が作用するときの側視断面概略図である。
【符号の説明】
【００２７】
１０        第１本体
１１        収容空間
１２        取付空間
１３、５２  電気コネクタ
１４        滑り溝
１５、２２  制限部材
１６        フレーム
１６１      圧下締結具
２０        第２本体
２１        滑りレール
２２        制限部材
２３        取付溝
３０        電池
４０        電気制御回路
５０        制御素子
５１        ローラー
６０        弾性部材
７０        電気回路
【図１Ａ】
0003124918.tif 000003
【図１Ｂ】
0003124918.tif 000004
【図２】
0003124918.tif 000005
【図３】
0003124918.tif 000006
【図４】
0003124918.tif 000007
【図５】
0003124918.tif 000008
【図６】
0003124918.tif 000009
【図７】
0003124918.tif 000010